(57)【特許請求の範囲】
【請求項１】
リファレンス信号の系列長毎の複数の系列を分割した複数のグループのうち、一つのグループにおける前記系列に関する制御情報を、移動局に送信する送信部と、
前記移動局から、前記制御情報に基づいて、前記複数のグループのうちの一つのグループにおける前記系列を用いて生成された前記リファレンス信号を受信する受信部と、
を有し、
第１の系列長の複数の系列を分割した複数のグループのそれぞれを構成する系列の数と、前記第１の系列長とは異なる第２の系列長の複数の系列を分割した複数のグループのそれぞれを構成する系列の数とが異なる、
通信装置。
【請求項２】
前記第２の系列長は前記第１の系列長よりも長く、前記第２の系列長の複数の系列を分割した複数のグループのそれぞれを構成する系列の数は、前記第１の系列長の複数の系列を分割した複数のグループのそれぞれを構成する系列の数よりも大きい、
請求項１記載の通信装置。
【請求項３】
前記制御情報は、前記複数のグループのうちの一つのグループにおける前記系列を特定する、
請求項１又は２に記載の通信装置。
【請求項４】
前記制御情報は、前記複数のグループのうちの一つのグループを特定する、
請求項１から３のいずれかに記載の通信装置。
【請求項５】
前記複数のグループのそれぞれは、同数の系列からなる、
請求項１から４のいずれかに記載の通信装置。
【請求項６】
前記複数のグループのうちの一つのグループが、セルに応じて割り当てられる、
請求項１から５のいずれかに記載の通信装置。
【請求項７】
前記系列は、Zadoff-Chu系列である、
請求項１から６のいずれかに記載の通信装置。
【請求項８】
前記系列は、複数の異なる巡回シフト量を用いて、前記系列から生成される、複数の巡回シフト系列を含み、
前記受信部は、前記移動局から、前記制御情報に基づいて、前記複数の巡回シフト系列のうちの一つを用いて生成された前記リファレンス信号を受信する、
請求項１から７のいずれかに記載の通信装置。
【請求項９】
前記複数のグループの数は、前記系列長によらず一定である、
請求項１から８のいずれかに記載の通信装置。
【請求項１０】
リファレンス信号の系列長毎の複数の系列を分割した複数のグループのうち、一つのグループにおける前記系列に関する制御情報を、移動局に送信する送信工程と、
前記移動局から、前記制御情報に基づいて、前記複数のグループのうちの一つのグループにおける前記系列を用いて生成された前記リファレンス信号を受信する受信工程と、
を有し、
第１の系列長の複数の系列を分割した複数のグループのそれぞれを構成する系列の数と、前記第１の系列長とは異なる第２の系列長の複数の系列を分割した複数のグループのそれぞれを構成する系列の数とが異なる、
系列受信方法。
【請求項１１】
前記第２の系列長は前記第１の系列長よりも長く、前記第２の系列長の複数の系列を分割した複数のグループのそれぞれを構成する系列の数は、前記第１の系列長の複数の系列を分割した複数のグループのそれぞれを構成する系列の数よりも大きい、
請求項１０記載の系列受信方法。
【請求項１２】
前記制御情報は、前記複数のグループのうちの一つのグループにおける前記系列を特定する、
請求項１０又は１１に記載の系列受信方法。
【請求項１３】
前記制御情報は、前記複数のグループのうちの一つのグループを特定する、
請求項１０から１２のいずれかに記載の系列受信方法。
【請求項１４】
前記複数のグループのそれぞれは、同数の系列からなる、
請求項１０から１３のいずれかに記載の系列受信方法。
【請求項１５】
前記複数のグループのうちの一つのグループが、セルに応じて割り当てられる、
請求項１０から１４のいずれかに記載の系列受信方法。
【請求項１６】
前記系列は、Zadoff-Chu系列である、
請求項１０から１５のいずれかに記載の系列受信方法。
【請求項１７】
前記系列は、複数の異なる巡回シフト量を用いて、前記系列から生成される、複数の巡回シフト系列を含み、
前記受信工程は、前記移動局から、前記制御情報に基づいて、前記複数の巡回シフト系列のうちの一つを用いて生成された前記リファレンス信号を受信する、
請求項１０から１６のいずれかに記載の系列受信方法。
【請求項１８】
前記複数のグループの数は、前記系列長によらず一定である、
請求項１０から１７のいずれかに記載の系列受信方法。
【請求項１９】
リファレンス信号の系列長毎の複数の系列を分割した複数のグループのうち、一つのグループにおける前記系列に関する制御情報を、移動局に送信する送信処理と、
前記移動局から、前記制御情報に基づいて、前記複数のグループのうちの一つのグループにおける前記系列を用いて生成された前記リファレンス信号を受信する受信処理と、
を制御し、
第１の系列長の複数の系列を分割した複数のグループのそれぞれを構成する系列の数と、前記第１の系列長とは異なる第２の系列長の複数の系列を分割した複数のグループのそれぞれを構成する系列の数とが異なる、
集積回路。
【発明の詳細な説明】
【技術分野】
【０００１】
本発明は、通信装置、系列受信方法および集積回路に関し、特に、上り回線のリファレンス信号にＣＡＺＡＣ（Constant Amplitude Zero Auto-Correlation）系列を用いる場合においてＣＡＺＡＣ系列を各セルに割り当てる通信装置、系列受信方法および集積回路に関する。
【背景技術】
【０００２】
3GPP LTE（3rd Generation Partnership Project Long-term Evolution）において、上り回線のリファレンス信号として、Zadoff-Chu系列（以下、ＺＣ系列と省略する。）やGeneralized Chirp-Like（以下、ＧＣＬ系列と省略する。）等のＣＡＺＡＣ系列を用いることが検討されている。ＣＡＺＡＣ系列の中でもＺＣ系列は特に相互相関特性が良好な系列であり、注目されている。
【０００３】
ＺＣ系列は以下の式（１）で表される。ここで、Ｎは系列長、ｒは系列番号である。なお、Ｎとｒは互いに素である。
【数１】
0005629400.tif 000002
【０００４】
ＺＣ系列では、系列長Ｎが素数であれば相互相関特性が良好なＮ−１個の系列を生成することができる。このとき、系列間の相互相関は√Ｎで一定になる。例えば、異なる系列番号ｒ＝１のＺＣ系列とｒ＝５のＺＣ系列の相互相関は√Ｎで一定になる。一方、系列長Ｎが素数以外の数で、２つの系列番号間の差の絶対値がＮと互いに素の関係にない場合、この２つの系列間の相互相関の最大値は√Ｎより大きくなる。
【０００５】
また、ＺＣ系列では、１つの系列から、巡回シフト量Δのｍ倍ずつシフトさせた複数の巡回シフト系列（以下、巡回シフト系列番号をｍとする。）を生成することができる。そして、理想的にはシフト量０以外のすべての巡回シフト系列において自己相関が０（ゼロ）となる。
【０００６】
ここで、巡回シフト量Δは、遅延スプレッドに基づいて設計される。これは、遅延スプレッドが巡回シフト量Δを超えると、基地局では、巡回シフト量Δのｍ倍に対応して設定された遅延プロファイル検出窓の範囲内で異なる巡回シフト量の巡回シフト系列との相関値を検出することによる誤検出が発生するためである。
【０００７】
また、リファレンス信号の送信時間長Ｌは一定の長さに定められているため、１つのＺＣ系列から生成可能な巡回シフト系列数Ｍには限りがあり、以下の式（２）が成り立つ。
Ｍ ＝ Ｌ／Δ  …  式（２）
【０００８】
このような特性を有するＺＣ系列をリファレンス信号に用いる場合の各セルへのＺＣ系列の割当方法として、互いに隣接するセルに互いに異なるＺＣ系列を割り当て、同一セル内では１つのＺＣ系列から生成できるＭ個の巡回シフト系列を割り当てることが検討されている（非特許文献１参照）。この従来の割当方法を図１に示す。ここでは、各セルに対し互いに異なる系列番号のＺＣ系列（ｒ＝１〜２１）を割り当て、同一セル内では巡回シフト系列（ｍ＝１〜６）を用いる。ここで、各セルは各無線サービスエリアに対応する。よって、１つの基地局が複数の無線サービスエリアに対して通信サービスを行う場合は、１つの基地局に複数のセルが属することになる。なお、１つの基地局に複数のセルが属する場合、これら複数のセルの各々をセクタと呼ぶこともある。以下の説明においても同様である。
【０００９】
このように互いに隣接するセルに相互相関が低い互いに異なる系列番号のＺＣ系列を割り当てることでセル間干渉を軽減することができる。また、同一セル内では自己相関特性が良好な巡回シフト系列を用いることで、セル内での移動局間での干渉を軽減することができ高精度なチャネル推定が可能となる。なお、１つのＺＣ系列から生成される複数の巡回シフト系列による干渉軽減効果は、系列番号が異なる複数のＺＣ系列による干渉軽減効果より大きい。
【先行技術文献】
【非特許文献】
【００１０】
【非特許文献１】R1-062072, MOTOROLA,“Uplink Reference Signal Multiplexing Structures for E-UTRA”, 3GPP TSG RAN WG1 Meeting #46, August 28 - September 1, 2006
【発明の概要】
【発明が解決しようとする課題】
【００１１】
ここで、ＺＣ系列の数には限りがあるため、あるセルに割り当てたＺＣ系列と同一系列番号のＺＣ系列を異なるセルで再利用する必要がある。例えば、同一の系列番号のＺＣ系列を互いに隣接する２つのセルに割り当てた場合、基地局はいずれのセル内の移動局から送信されたリファレンス信号であるのかを区別することができないため、チャネル推定結果に誤りが生じる。よって、複数のセルに対して同一系列番号のＺＣ系列を割り当てる場合には、セル間干渉を防ぐために、それら複数のセルを互いに距離を離して配置する必要がある。
【００１２】
一方、上り回線では移動局の最大送信電力が限られているため、セル半径が大きい場合、所望のチャネル推定精度を得るためには、リファレンス信号およびデータを狭帯域（例えば３６０kHz）で送信する必要がある。リファレンス信号の送信時間長が変わらないとすると、送信帯域幅が狭くなるほどリファレンス信号として用いることができるＺＣ系列の系列長Ｎが短くなる。従って、各セルに割り当て可能なＺＣ系列数も少なくなる。例えば、送信帯域幅３６０kHz、サブキャリア帯域３０kHzを想定すると、ＺＣ系列長Ｎが１２（Ｎを素数とすると１１）となる。
【００１３】
ここで、ＺＣ系列数が９である場合（ｒ＝１〜９）の割当パターンを図２に示す。このようにＺＣ系列数が少ないと、各セルに割当可能なＺＣ系列も少なくなるため、同一系列番号のＺＣ系列を比較的近接する複数のセルに対して割り当てなければならなくなる。その結果として、それら近接するセル間においてリファレンス信号の干渉が大きくなってしまう。
【００１４】
本発明の目的は、移動体通信システムにおいてリファレンス信号のセル間干渉を低減することができる通信装置、系列受信方法および集積回路を提供することである。
【課題を解決するための手段】
【００１５】
本発明の態様の一つでは、上り回線のリファレンス信号にＺＣ系列を用いる場合において、ＺＣ系列番号ｒ（ｒ＝１〜Ｒ）と巡回シフト系列番号ｍ（ｍ＝１〜Ｍ）とによって特定されるＲ×Ｍ個の系列を、リファレンス信号の送信帯域幅に応じて複数の系列グループに分類し、各系列グループ単位でＺＣ系列を各セルに割り当てる。
【発明の効果】
【００１６】
本発明によれば、リファレンス信号の送信帯域幅に応じてＺＣ系列を複数の系列グループに分類するため、系列グループに含まれる系列数を減少させることで系列グループ数を増加させることができる。よって、リファレンス信号を狭帯域で送信する場合でも、多くの系列グループの中からセルに割り当てる系列グループを決定でき、互いに異なるセル間での干渉を軽減することができる。
【図面の簡単な説明】
【００１７】
【図１】従来のＺＣ系列の割当方法を示す図
【図２】従来の割当パターンを示す図
【図３】実施の形態１に係る仮想系列グループを示す図（送信帯域幅に応じた数が２の場合）
【図４】実施の形態１に係る仮想系列グループを示す図（送信帯域幅に応じた数が６の場合）
【図５】実施の形態１に係る割当方法を示す図
【図６】実施の形態１に係る基地局のブロック構成図
【図７】実施の形態１に係る移動局のブロック構成図
【図８】実施の形態２に係る割当方法を示す図
【図９】実施の形態２に係る割当パターンを示す図
【図１０】実施の形態２に係るＺＣ系列の相互相関特性を示す図
【図１１】実施の形態３に係る割当方法を示す図
【図１２】実施の形態４に係る割当方法を示す図
【発明を実施するための形態】
【００１８】
以下、本発明の実施の形態について、図面を参照して詳細に説明する。
【００１９】
（実施の形態１）
実施の形態１に係る系列割当方法は、上り回線のリファレンス信号にＺＣ系列を用いる場合において、ＺＣ系列番号ｒ（ｒ＝１〜Ｒ）と巡回シフト系列番号ｍ（ｍ＝１〜Ｍ）とで特定されるＲ×Ｍ個の系列を、リファレンス信号の送信帯域幅に応じた所定の数を単位として複数の系列グループに分類して、各系列グループ単位でＺＣ系列を各セルに割り当てる。例えば、Ｒ×Ｍ＝２０個において系列グループを１０個生成する場合は所定の数を２とする。また、Ｒ×Ｍ＝６０個において系列グループを１０個生成する場合は所定の数を６とする。
【００２０】
なお、以下の説明では、ＺＣ系列番号ｒ（ｒ＝１〜Ｒ）と巡回シフト系列番号ｍ（ｍ＝１〜Ｍ）とで特定されるＲ×Ｍ個の系列を仮想系列と呼び仮想系列番号Ｚで特定する。またこの仮想系列から構成されるグループを仮想系列グループと呼び仮想系列グループ番号Ｘで特定する。
【００２１】
リファレンス信号の送信帯域幅に応じた所定の数を２または６とした場合の系列グループ番号（Ｘ）、ＺＣ系列番号ｒ、巡回シフト系列番号ｍ、仮想系列番号Ｚの関係を図３（所定の数が２の場合）または図４（所定の数が６の場合）のテーブルにそれぞれ示す。仮想系列グループは、複数の異なる仮想系列から構成されるグループを表す。なお、仮想系列グループは異なるＺＣ系列番号の仮想系列で構成されてもよいが、同一のＺＣ系列番号の仮想系列で構成されることが干渉低減の観点からみて望ましい。図３のテーブルでは、従来方法と同様、１つの仮想系列グループに１つのＺＣ系列番号が対応しており、ＺＣ系列番号がＲまで使える場合の仮想系列グループ数がＲである。一方、図４のテーブルでは、１つのＺＣ系列番号に対し３つの仮想系列グループが対応するため、仮想系列グループ数は３Ｒとなり、仮想系列グループ数が増加していることがわかる。例えば、リファレンス信号の送信帯域幅が狭い場合は狭帯域用に仮想系列数を減少させた図４の設定を利用し、それ以外の場合は図３の設定を利用することが考えられる。
【００２２】
また、図３のテーブルでは１つの仮想系列グループに１つのＺＣ系列番号および巡回シフト系列番号１〜６が対応している。しかし、１つの仮想系列グループに複数のＺＣ系列番号および各ＺＣ系列番号の巡回シフト系列番号１〜６を対応させてもよい。つまり、仮想系列グループ１にＺＣ系列番号１の巡回シフト系列番号１〜６およびＺＣ系列番号２の巡回シフト系列番号１〜６を対応付けてもよい。例えば、リファレンス信号の送信帯域幅が閾値より狭い場合は図３のテーブルを使用する一方で、リファレンス信号の送信帯域幅が閾値より広い場合は１つの仮想系列グループに含まれる仮想系列の数を増加させてもよい。なお、リファレンス信号の送信帯域幅が広い場合は仮想系列数が多いため、１つの仮想系列グループに含まれる仮想系列の数を増加させても、同一系列を再利用する基地局間距離を系列間干渉が少ない距離に維持することができる。さらに、仮想系列グループ内では移動局が利用できる系列の数が増加するため、系列番号のランダマイズ効果により、仮想系列グループ内干渉または仮想系列グループ間干渉を減少させることができる。
【００２３】
図４の仮想系列グループ（仮想系列数：２）の各セルへの割当方法を図５に示す。ここで、Ｒ＝９，Ｍ＝６を想定すると、仮想系列数は５４種類である。一方、各仮想系列グループがそれぞれ２つの仮想系列で構成されるため、仮想系列グループ数は２７種類となる。本実施の形態に係る割当方法ではこの２７種類の仮想系列グループを各セルに割り当てる。なお、従来の割当方法であれば９種類から各セルに割り当てる必要がある。
【００２４】
以下、各仮想系列グループに含まれる仮想系列数の決定方法の一例を示す。
【００２５】
上り回線におけるデータ送信では送信帯域幅の最小単位が決められており、移動局はこの最小単位の帯域幅またはこの最小単位の帯域幅を複数用いてデータ送信を行なう。
【００２６】
従って、リファレンス信号の送信帯域幅が広い場合には、狭い場合に比べてその帯域内にデータを送信する移動局が多数存在する可能性がある。このとき、各移動局の伝送路推定のためにリファレンス信号を同一送信帯域に多重する必要がある。例えばリファレンス信号の送信帯域が１.２５MHzである場合においてデータ送信の最小送信帯域幅が３７５kHzであるとすると、３つの移動局のリファレンス信号を多重する必要が生じる。なお、ここでは、データを送信する全移動局がリファレンス信号を送信することを前提とした。しかしながら、仮想系列グループに含まれる仮想系列数を２種類ずつ割り当てるとした場合、同一送信帯域に３つの移動局のリファレンス信号を多重することが困難である。従って、送信帯域幅が広い場合は、１つのセルに割り当てる仮想系列数はより多く設定される必要がある。
【００２７】
一方で、リファレンス信号の送信帯域幅が狭い場合は、その帯域内にデータを送信する移動局が多数存在する可能性が低く、よって、多くのリファレンス信号を多重しなければならない可能性は低い。例えば、リファレンス信号の送信帯域が３７５kHzである場合には、１つの移動局のみのリファレンス信号が送信されればよい。このように、１つのセルに割り当てる必要のある仮想系列数はリファレンス信号の送信帯域幅とデータの最小送信帯域幅によって異なる。そこで、仮想系列を送信帯域幅に応じて複数の仮想系列グループに分類する。
【００２８】
以上のように、リファレンス信号の送信帯域幅が狭い場合には仮想系列グループに含まれる仮想系列数を少なくして仮想系列グループ数を増加させることが可能である。
【００２９】
なお、所定の数を変更して仮想系列グループ数を増減できることは、系列長Ｎに応じて巡回シフト系列数が変化することを鑑みると非常に好ましい。例えば、従来の割当方法では、広帯域になるほど同一系列を再利用する基地局間距離が大きくなり、同一系列間でのセル間干渉が減少する。しかしながら、ある程度の帯域幅を超えると基地局間距離が十分に大きくなるため同一系列間でのセル間干渉はほとんど発生せず、それ以上帯域幅が増加しても同一系列間でのセル間干渉はほとんど減少しない。
【００３０】
一方、本実施の形態に係る割当方法では、１つのセルに割り当てる仮想系列数を帯域幅に応じた必要所定数とすることにより、ＺＣ系列数の減少による割当自由度の低下を補償できるため、干渉を抑えた割当が可能となる。例えば、広帯域では１つの仮想系列グループに含まれる仮想系列数を増加させることで、移動局が使用できる仮想系列数が増加して移動局が一定間隔で使用する仮想系列を変更できるため、系列のランダマイズ効果によって仮想系列グループ内干渉または仮想系列グループ間干渉を減少させることができる。また、広い帯域幅の仮想系列グループと狭い帯域幅の仮想系列グループとの間の系列間干渉も減少させることができる。なお、同一系列を再利用する基地局間距離は一定以上に保つことができるため、同一系列によるセル間干渉も低く抑えることができる。
【００３１】
次いで、本実施の形態に係る基地局１００の構成を図６に示す。
【００３２】
基地局１００において、送信データおよび制御情報は、符号化部１１０で符号化され、変調部１１１で変調され、送信ＲＦ部１１２でＤ／Ａ変換、増幅およびアップコンバート等の送信処理をなされ、アンテナ１０１から各移動局へ送信される。
【００３３】
受信ＲＦ部１０２は、アンテナ１０１を介して受信される各移動局からの信号に対しダウンコンバート、Ａ／Ｄ変換等の受信処理を施して分離部１０３に出力する。
【００３４】
分離部１０３は、入力された信号を参照信号とデータ信号および制御信号とに分離して、データ信号および制御信号を等化部１０４に、参照信号を伝送路推定部１０７に出力する。
【００３５】
等化部１０４は伝送路推定部１０７で推定された伝送路変動を利用して等化処理を行い、等化処理後の信号を復調部１０５に出力する。
【００３６】
復調部１０５はデータ信号および制御信号を復調して復号部１０６に出力する。
【００３７】
復号部１０６は、入力された復調後の信号に対して復号処理を施して受信データを得る。
【００３８】
伝送路推定部１０７は、基地局１００に属するセル（自セル）の仮想系列グループ番号に対応したＺＣ系列番号および巡回シフト系列番号を用いて、入力されたリファレンス信号から上り回線の伝送路特性を測定し、測定結果をスケジューリング部１０８と等化部１０４とに出力する。
【００３９】
スケジューリング部１０８は、入力された測定結果を基にしてスケジューリングを行う。また、各移動局のリファレンス信号に対して、自セルの仮想系列グループ番号に対応したＺＣ系列番号と巡回シフト系列番号の割当も行う。
【００４０】
制御情報生成部１０９は、上記の割当方法を用いて制御情報を生成する。
【００４１】
次いで、本実施の形態に係る移動局２００の構成を図７に示す。
【００４２】
移動局２００は、基地局１００から送信された制御情報に基づいて、自局に割り当てられたリファレンス信号のＺＣ系列番号と巡回シフト系列番号とを判断する判断部２０５と、自局に割り当てられたＺＣ系列番号と巡回シフト系列番号に従ってリファレンス信号を生成するリファレンス信号生成部２０６とを具備する。
【００４３】
受信ＲＦ部２０２は、アンテナ２０１を介して基地局１００から受信される信号に対し、ダウンコンバート、Ａ／Ｄ変換等の受信処理を施して復調部２０３に出力する。
【００４４】
復調部２０３は、受信ＲＦ部から入力された信号に対して復調処理を行い、復号部２０４へ出力する。
【００４５】
復号部２０４は、復調後の信号に対して復号処理を施してデータ信号および制御情報を得る。リファレンス信号に関する制御情報は判断部２０５に出力される。
【００４６】
判断部２０５は、自局に割り当てられたリファレンス信号のＺＣ系列番号と巡回シフト系列番号を判断し、判断結果をリファレンス信号生成部２０６へ出力する。
【００４７】
リファレンス信号生成部２０６は、判断部２０５から入力されたＺＣ系列番号および巡回シフト系列番号に基づいてリファレンス信号を生成し、多重化部２０９へ出力する。
【００４８】
一方、送信データが符号化部２０７で符号化され、変調部２０８で変調され、多重化部２０９に出力される。
【００４９】
多重化部２０９は、入力された送信データとリファレンス信号とを時間多重し、送信ＲＦ部２１０へ出力する。
【００５０】
送信ＲＦ部２１０は、リファレンス信号およびデータシンボルに対しＤ／Ａ変換、増幅およびアップコンバート等の送信処理を施してアンテナ２０１から基地局１００へ送信する。
【００５１】
このように、本実施の形態によれば、仮想系列グループに含まれる仮想系列数をリファレンス信号の送信帯域幅に応じて設定することで、狭帯域送信時において仮想系列グループ数を増加させることができる。そのため、リファレンス信号を狭帯域で送信する場合でも、多くの仮想系列グループからセルに割り当てる仮想系列グループを決定でき、よって、リファレンス信号のセル間干渉を軽減することができる。また、広帯域では１つの仮想系列グループに含まれる仮想系列数を増加させることで、ランダマイズ効果によりリファレンス信号のセル間干渉を減少させることができる。
【００５２】
（実施の形態２）
本実施の形態では、図４のテーブルにあるように仮想系列グループの各々が同一ＺＣ系列番号の仮想系列で構成されるようにグルーピングされている場合において、同一基地局に属するセルには同一ＺＣ系列である仮想系列グループを優先的に割り当てる。つまり、図４のテーブルを用いる場合に、Ｘ１＝３ｋ、Ｘ２＝３ｋ＋１、Ｘ３＝３ｋ＋２の仮想系列グループ（Ｘ）を１つの基地局に属する異なるセルに優先的に割り当てる。このように、同一基地局に属する複数のセルでは共通のＺＣ系列番号を優先的に利用し、同一基地局の各セルでは異なる巡回シフト系列を利用する。この仮想系列グループ（仮想系列数：２）の各セルへの割当方法を図８に示す。図８において、同一基地局に属するセル（例えば図８における網かけ箇所の３つのセル）では同一系列番号ｒのＺＣ系列（例えば、ｒ＝１）を利用する。そして、同一基地局の各セルでは異なる巡回シフト系列ｍを利用する。つまり、セル＃１ではｍ＝１,２、セル＃２ではｍ＝３,４、セル＃３ではｍ＝５,６を利用する。
【００５３】
次いで、本実施の形態に係る割当方法における各セルへの割当パターンを図９に示す。なお、ＺＣ系列数は９である。図２に示した従来の割当方法と比較して明らかなように、本実施の形態によれば、同一ＺＣ系列を用いる複数の基地局間の距離を従来に比べ長くすることができる。したがって、同一ＺＣ系列を用いる異なる基地局間でのセル間干渉を小さくすることができる。
【００５４】
また、同一基地局に属するセル間の干渉も軽減することができる。系列長Ｎが素数であれば異なる系列間での相関の最大値は√Ｎで一定になる。一方、同一のＺＣ系列であれば相関の最大値はＮになる。このＺＣ系列（ｒ＝２の場合）の系列間相関特性を図１０に示す。このとき、系列長Ｎが小さくなるにつれて、異なるＺＣ系列の相関値と同一ＺＣ系列の相関値の差が小さくなる。したがって、従来方法では、隣接セル間で異なる系列番号のＺＣ系列を用いた場合であっても、系列長Ｎが小さくなるにつれてリファレンス信号のセル間干渉の抑圧効果が小さくなる。これに対し、本実施の形態では、同一基地局に属するフレームタイミング同期が確立されているセル間では、遅延スプレッドが巡回シフト量Δを越えないように設計されているため、区間Δの間で互いに直交する巡回シフト系列を利用して干渉を軽減することができ、よって、同一基地局に属するセル間での干渉を軽減することができる。
【００５５】
なお、異なる基地局に属するセル間でのフレームタイミング（上り回線および下り回線の送受信タイミング）の同期確立は困難であるが、同一基地局に属するセル間でのフレームタイミングの同期確立は比較的容易である。そのため、同一基地局に属するセル間では巡回シフト系列による多重は比較的容易である。
【００５６】
また、異なる基地局に属するセル間でフレームタイミングの同期が確立されている通信システム（基地局間同期システム）においては、同一ＺＣ系列である仮想系列グループを優先的に割り当てるセルは同一基地局に属するセルに限定されず、隣接するセルであっても良い。このような系列割当を行っても、リファレンス信号のセル間干渉を軽減することができる。
【００５７】
（実施の形態３）
本実施の形態では、実施の形態２の仮想系列グループに含まれる仮想系列数を少なくした場合において、各セルに割り当てる巡回シフト系列番号ｍを不連続の番号とする。つまり、各セルに、巡回シフト系列番号ｍの間隔をあけて割り当てる。
【００５８】
実施の形態３における割当方法の一例を図１１に示す。図１１では、巡回シフト系列番号ｍをセル＃１ではｍ＝１,４、セル＃２ではｍ＝２,５、セル＃３ではｍ＝３,６と割り当てている。なお、図１１では同一基地局に属する３つのセルで同一ＺＣ系列番号としたが、これに限定するものではない。
【００５９】
このように、本実施の形態では、仮想系列グループの各々は、同一ＺＣ系列番号の仮想系列でかつ不連続の巡回シフト系列番号の仮想系列で構成される。よって、同一セル内から送信された巡回シフト量を超える遅延波による干渉を軽減することができる。巡回シフト系列番号ｍ＝２のリファレンス信号が巡回シフト量Δを超えた遅延波である場合、基地局では巡回シフト系列番号ｍ＝１として誤検出されることがある。また、この誤検出が巡回シフト系列番号ｍ＝１に対して干渉となる。しかしながら、本実施の形態によれば、例えば１つのセルにおいて巡回シフト系列番号ｍ＝２,５のＺＣ系列のみを利用するため、これらのＺＣ系列が基地局で巡回シフト系列番号ｍ＝１のＺＣ系列として受信されても誤検出されることがない。つまり、本実施の形態によれば、同一セル内でのリファレンス信号間の干渉を軽減することができる。
【００６０】
（実施の形態４）
本実施の形態では、実施の形態２の仮想系列グループに含まれる仮想系列数を少なくした場合において、同一基地局に属するセルで巡回シフト系列番号を繰り返し使用する。つまり、同一基地局に属するセルにおいて、隣接セル間では異なる巡回シフト番号を使用し、隣接しないセル間では巡回シフト系列番号を繰り返し使用する。
【００６１】
実施の形態４に係る割当方法の一例を図１２に示す。なお、図１２では、同一基地局に属するセルが６セルであり、各セル（例えば図１２における網かけ箇所の６つのセル）で同一ＺＣ系列を利用することを想定した。図１２に示す例では、セル＃１,＃４ではｍ＝１,２、セル＃２,＃５ではｍ＝３,４、セル＃３,＃６ではｍ＝５,６と、同一基地局のセル間で巡回シフト系列番号ｍを繰り返し使用する。
【００６２】
よって、本実施の形態によれば、同一基地局のセル間で巡回シフト系列番号を繰り返し使用できるため、セル数が増加した場合でも同一系列番号を利用する基地局間距離を長くすることができ、セル間干渉を軽減することができる。なお、互いに隣接するセルでは同一の巡回シフト系列番号ｍを使用しないのでセル間干渉の影響は小さい。
【００６３】
以上、本発明の各実施の形態について説明した。
【００６４】
なお、上記すべての実施の形態では、通知シグナリング量を減少することが可能である。例えば、巡回シフト系列番号ｍ＝１〜６を想定すると、各セルで利用する巡回シフト系列は、従来方法では６種類（ｍ＝１〜６）であったのに対し、本発明では２種類（例えば、セル＃１ではｍ＝１,２、セル＃２ではｍ＝３,４、セル＃３ではｍ＝５,６）を利用する。
【００６５】
このため、従来方法では、基地局が巡回シフト系列番号を６種類（ｍ＝１〜６）から選択して各移動局に通知する。つまり、各移動局への巡回シフト系列番号の通知として、各移動局に対して３ビットずつ用意する必要がある。
【００６６】
これに対し、本発明では、基地局が巡回シフト系列番号を２種類から選択して各移動局に通知すればよい。例えば、セル＃１では１,２、セル＃２では３,４、セル＃３では５,６の各々２種類に限定される。つまり、本発明を用いると、各移動局への巡回シフト系列番号の通知として、各移動局に対して１ビットずつ用意すればよい。
【００６７】
一方、移動局では、基地局から送信された１ビットの通知情報から、自局が属するセルに割り当てられた巡回シフト系列番号を推定する。例えば、基地局から１ビットの通知情報（例えば、１）が通知された場合、セル＃１（巡回シフト系列ｍ＝１,２）に位置する移動局ではｍ＝１、セル＃２（巡回シフト系列ｍ＝３,４）に位置する移動局ではｍ＝３、セル＃３（巡回シフト系列ｍ＝５,６）に位置する移動局ではｍ＝５であると判断することができる。このように、本発明によれば、通知シグナリング量を減少することができる。
【００６８】
また、本発明はリファレンス信号の送信帯域が狭い場合に特に有効であるが、これに限定するものではない。
【００６９】
また、仮想系列グループ数がリファレンス信号の各送信帯域幅で同じ数となるように所定の数を変更してもよい。つまり、各送信帯域幅でそれぞれ２０個の仮想系列グループを生成する場合は、そのグループ数に合わせて所定の数を設定すればよい。
【００７０】
また、基地局と移動局とが、仮想系列グループおよび仮想系列番号の情報を共有することが有効である。例えば、基地局と移動局とが、仮想系列グループと仮想系列番号との関係を示すテーブルを共有するのがよい。
【００７１】
また、仮想系列番号の全ての番号を仮想系列グループに含めなくてもよい。つまり、利用されない仮想系列番号が存在してもよい。
【００７２】
また、上記説明では同一基地局のセルを例に挙げた。しかし、フレーム同期が確立するセルとしてもよい。
【００７３】
また、本発明は全送信帯域ではなく、一部の送信帯域に適用されてもよい。
【００７４】
また、上記説明では仮想系列グループに含まれる仮想系列数を２種類として説明したが、これに限定するものではない。
【００７５】
また、上記説明では各仮想系列グループを各セルに割り当てることを前提にした。しかし、各仮想系列グループを各基地局に割り当てることを前提にしてもよい。例えば、図３の仮想系列グループ１を基地局に割り当てて、基地局が仮想系列グループ１に含まれる仮想系列番号１〜６を各セルまたは各移動局に割り振ってもよい。
【００７６】
また、一般に送信帯域幅が大きくなるほど系列長が長くなるため、仮想系列グループに含まれる仮想系列数をリファレンス信号の送信帯域幅に応じて設定することは、仮想系列グループに含まれる仮想系列数をリファレンス信号の系列長に応じて設定することと等価である。
【００７７】
また、上記説明ではＺＣ系列を用いて説明したが、本発明は、ＣＡＺＡＣ系列，偶数長のＺＣ系列，ＧＣＬ系列，Frank系列，Ｍ系列およびゴールド系列などのＰＮ系列，ＣＡＺＡＣ系列をTruncation/Extensionした系列，ＣＡＺＡＣ系列をPuncturingした系列，Random CAZAC系列, OLZC系列, RAZAC系列，計算機により生成したその他の系列等に適用することができる。
【００７８】
また、上記各実施の形態における基地局はNode B、移動局はUEと表されることがある。
【００７９】
また、上記実施の形態では、本発明をハードウェアで構成する場合を例にとって説明したが、本発明はソフトウェアで実現することも可能である。
【００８０】
また、上記実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【００８１】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【００８２】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【００８３】
２００６年１０月２日出願の特願２００６−２７１０５１の日本出願に含まれる明細書、図面および要約書の開示内容は、すべて本願に援用される。
【産業上の利用可能性】
【００８４】
本発明は、移動体通信システム等に適用することができる。
【図１】
0005629400.tif 000003
【図２】
0005629400.tif 000004
【図３】
0005629400.tif 000005
【図４】
0005629400.tif 000006
【図５】
0005629400.tif 000007
【図６】
0005629400.tif 000008
【図７】
0005629400.tif 000009
【図８】
0005629400.tif 000010
【図９】
0005629400.tif 000011
【図１０】
0005629400.tif 000012
【図１１】
0005629400.tif 000013
【図１２】
0005629400.tif 000014